(57)【要約】【課題】撮像目的、編集処理方法に応じて最適な映像変換処理が可能な映像変換装置の提供。【解決手段】プルダウン制御器９による２：３：２：３プルダウン変換方式の変換処理と、２：３：３：２プルダウン変換方式の変換処理と、２：２：２：４プルダウン変換方式の変換処理とを、切換器１３により切り換えることで、撮像目的、編集処理方法に応じて最適な映像変換処理が可能な映像変換装置を実現する。【選択図】　図１
2004064622.tif 000002
【特許請求の範囲】
【請求項１】
２４フレーム／秒で映像信号を撮像する撮像器と、
撮像された２４フレーム／秒の映像信号を一時的に保存する一時記録器と、
前記２４フレーム／秒の映像信号を６０フィールド／秒のインターレース映像信号に変換して前記一時記録器から読み出す読み出し器と、
前記２４フレーム／秒の映像信号の各フレームと６０フィールド／秒のインターレース映像信号の各フィールドとの間の対応関係を複数備え、これら複数の対応関係の中から選択される一つの対応関係に基づいて前記読み出し器の読み出し動作を制御するプルダウン制御器と、
前記プルダウン制御器で選択される前記対応関係の切り換えを行う切換器と、
を有する映像撮像装置。
【請求項２】
２４フレーム／秒の映像信号の入力を受ける入力器と、
入力された２４フレーム／秒の映像信号を一時的に保存する一時記録器と、
前記２４フレーム／秒の映像信号を６０フィールド／秒のインターレース映像信号に変換して前記一時記録器から読み出す読み出し器と、
前記２４フレーム／秒の映像信号の各フレームと６０フィールド／秒のインターレース映像信号の各フィールドとの間の対応関係を複数備え、これら複数の対応関係の中から選択される一つの対応関係に基づいて前記読み出し器の読み出し動作を制御するプルダウン制御器と、
前記プルダウン制御器で選択される前記対応関係の切り換えを行う切換器と、
を有する映像変換装置。
【請求項３】
２４フレーム／秒で映像信号を撮像する撮像器と、
撮像された２４フレーム／秒の映像信号を一時的に保存する一時記録器と、
前記２４フレーム／秒の映像信号を６０フィールド／秒のインターレース映像信号に変換して前記一時記録器から読み出す読み出し器と、
前記２４フレーム／秒の映像信号において連続する第１乃至第４のフレームの映像信号を、前記６０フィールド／秒のインターレース映像信号において連続する第１乃至第１０のフィールドに変換する際、第１のフレームの奇数フィールドを第１のフィールドに、第１のフレームの偶数フィールドを第２のフィールドに、第２のフレームの奇数フィールドを第３及び第５のフィールドに、第２のフレームの偶数フィールドを第４のフィールドに、第３のフレームの奇数フィールドを第７フィールドに、第３のフレームの偶数フィールドを第６乃び第８のフィールドに、第４のフレームの奇数フィールドを第９のフィールドに、第４のフレームの偶数フィールドを第１０のフィールドに、それぞれ変換するように前記読み出し器の読み出し動作を制御する２：３：３：２プルダウン制御器と、
前記２４フレーム／秒の映像信号において連続する第１乃至第４のフレームの映像信号を、前記６０フィールド／秒のインターレース映像信号において連続する第１乃至第１０のフィールドに変換する際、第１のフレームの奇数フィールドを第１のフィールドに、第１のフレームの偶数フィールドを第２のフィールドに、第２のフレームの奇数フィールドを第３及び第５のフィールドに、第２のフレームの偶数フィールドを第４のフィールドに、第３のフレームの奇数フィールドを第７フィールドに、第３のフレームの偶数フィールドを第６フィールドに、第４のフレームの奇数フィールドを第９のフィールドに、第４のフレームの偶数フィールドを第８乃び第１０のフィールドに、それぞれ変換するように前記読み出し器の読み出し動作を制御する２：３：２：３プルダウン制御器と、
前記２：３：３：２プルダウン制御器による前記読み出し器の制御と、前記２：３：２：３プルダウン制御器による前記読み出し器の制御とを切り換える切換器と、
を有する映像撮像装置。
【請求項４】
２４フレーム／秒の映像信号の入力を受ける入力器と、
入力された２４フレーム／秒の映像信号を一時的に保存する一時記録器と、
前記２４フレーム／秒の映像信号を６０フィールド／秒のインターレース映像信号に変換して前記一時記録器から読み出す読み出し器と、
前記２４フレーム／秒の映像信号において連続する第１乃至第４のフレームの映像信号を、前記６０フィールド／秒のインターレース映像信号において連続する第１乃至第１０のフィールドに変換する際、第１のフレームの奇数フィールドを第１のフィールドに、第１のフレームの偶数フィールドを第２のフィールドに、第２のフレームの奇数フィールドを第３及び第５のフィールドに、第２のフレームの偶数フィールドを第４のフィールドに、第３のフレームの奇数フィールドを第７フィールドに、第３のフレームの偶数フィールドを第６乃び第８のフィールドに、第４のフレームの奇数フィールドを第９のフィールドに、第４のフレームの偶数フィールドを第１０のフィールドに、それぞれ変換するように前記読み出し器の読み出し動作を制御する２：３：３：２プルダウン制御器と、
前記２４フレーム／秒の映像信号において連続する第１乃至第４のフレームの映像信号を、前記６０フィールド／秒のインターレース映像信号において連続する第１乃至第１０のフィールドに変換する際、第１のフレームの奇数フィールドを第１のフィールドに、第１のフレームの偶数フィールドを第２のフィールドに、第２のフレームの奇数フィールドを第３及び第５のフィールドに、第２のフレームの偶数フィールドを第４のフィールドに、第３のフレームの奇数フィールドを第７フィールドに、第３のフレームの偶数フィールドを第６フィールドに、第４のフレームの奇数フィールドを第９のフィールドに、第４のフレームの偶数フィールドを第８乃び第１０のフィールドに、それぞれ変換するように前記読み出し器の読み出し動作を制御する２：３：２：３プルダウン制御器と、
前記２：３：３：２プルダウン制御器による前記読み出し器の制御と、前記２：３：２：３プルダウン制御器による前記読み出し器の制御とを切り換える切換器と、
を有する映像変換装置。
【請求項５】
２４フレーム／秒で映像信号を撮像する撮像器と、
撮像された２４フレーム／秒の映像信号を一時的に保存する一時記録器と、
前記２４フレーム／秒の映像信号を６０フィールド／秒のインターレース映像信号に変換して前記一時記録器から読み出す読み出し器と、
前記２４フレーム／秒の映像信号において連続する第１乃至第４のフレームの映像信号を、前記６０フィールド／秒のインターレース映像信号において連続する第１乃至第１０のフィールドに変換する際、第１のフレームの奇数フィールドを第１のフィールドに、第１のフレームの偶数フィールドを第２のフィールドに、第２のフレームの奇数フィールドを第３及び第５のフィールドに、第２のフレームの偶数フィールドを第４のフィールドに、第３のフレームの奇数フィールドを第７フィールドに、第３のフレームの偶数フィールドを第６乃び第８のフィールドに、第４のフレームの奇数フィールドを第９のフィールドに、第４のフレームの偶数フィールドを第１０のフィールドに、それぞれ変換するように前記読み出し器の読み出し動作を制御する２：３：３：２プルダウン制御器と、
前記２４フレーム／秒の映像信号において連続する第１乃至第４のフレームの映像信号を、前記６０フィールド／秒のインターレース映像信号において連続する第１乃至第１０のフィールドに変換する際、第１のフレームの奇数フィールドを第１のフィールドに、第１のフレームの偶数フィールドを第２のフィールドに、第２のフレームの奇数フィールドを第３及び第５のフィールドに、第２のフレームの偶数フィールドを第４のフィールドに、第３のフレームの奇数フィールドを第７フィールドに、第３のフレームの偶数フィールドを第６フィールドに、第４のフレームの奇数フィールドを第９のフィールドに、第４のフレームの偶数フィールドを第８乃び第１０のフィールドに、それぞれ変換するように前記読み出し器の読み出し動作を制御する２：３：２：３プルダウン制御器と、
前記２４フレーム／秒の映像信号において連続する第１乃至第４のフレームの映像信号を、前記６０フィールド／秒のインターレース映像信号において連続する第１乃至第１０のフィールドに変換する際、第１のフレームの奇数フィールドを第１のフィールドに、第１のフレームの偶数フィールドを第２のフィールドに、第２のフレームの奇数フィールドを第３フィールドに、第２のフレームの偶数フィールドを第４のフィールドに、第３のフレームの奇数フィールドを第５フィールドに、第３のフレームの偶数フィールドを第６フィールドに、第４のフレームの奇数フィールドを第７及び第９のフィールドに、第４のフレームの偶数フィールドを第８乃び第１０のフィールドに、それぞれ変換するように前記読み出し器の読み出し動作を制御する２：２：２：４プルダウン制御器と、
前記２：３：３：２プルダウン制御器による前記読み出し器の制御と、前記２：３：２：３プルダウン制御器による前記読み出し器の制御と、前記２：２：２：４プルダウン制御器による前記読み出し器の制御を切り換える切換器と、
を有する映像撮像装置。
【請求項６】
２４フレーム／秒の映像信号の入力を受ける入力器と、
入力された２４フレーム／秒の映像信号を一時的に保存する一時記録器と、
前前記２４フレーム／秒の映像信号を６０フィールド／秒のインターレース映像信号に変換して前記一時記録器から読み出す読み出し器と、
前記２４フレーム／秒の映像信号において連続する第１乃至第４のフレームの映像を、前記６０フィールド／秒のインターレース映像信号において連続する第１乃至第１０のフィールドに変換する際、第１のフレームの奇数フィールドを第１のフィールドに、第１のフレームの偶数フィールドを第２のフィールドに、第２のフレームの奇数フィールドを第３及び第５のフィールドに、第２のフレームの偶数フィールドを第４のフィールドに、第３のフレームの奇数フィールドを第７フィールドに、第３のフレームの偶数フィールドを第６乃び第８のフィールドに、第４のフレームの奇数フィールドを第９のフィールドに、第４のフレームの偶数フィールドを第１０のフィールドに、それぞれ変換するように前記読み出し器の読み出し動作を制御する２：３：３：２プルダウン制御器と、
前記２４フレーム／秒の映像信号において連続する第１乃至第４のフレームの映像信号を、前記６０フィールド／秒のインターレース映像信号において連続する第１乃至第１０のフィールドに変換する際、第１のフレームの奇数フィールドを第１のフィールドに、第１のフレームの偶数フィールドを第２のフィールドに、第２のフレームの奇数フィールドを第３及び第５のフィールドに、第２のフレームの偶数フィールドを第４のフィールドに、第３のフレームの奇数フィールドを第７フィールドに、第３のフレームの偶数フィールドを第６フィールドに、第４のフレームの奇数フィールドを第９のフィールドに、第４のフレームの偶数フィールドを第８乃び第１０のフィールドに、それぞれ変換するように前記読み出し器の読み出し動作を制御する２：３：２：３プルダウン制御器と、
前記２４フレーム／秒の映像信号において連続する第１乃至第４のフレームの映像信号を、前記６０フィールド／秒のインターレース映像信号において連続する第１乃至第１０のフィールドに変換する際、第１のフレームの奇数フィールドを第１のフィールドに、第１のフレームの偶数フィールドを第２のフィールドに、第２のフレームの奇数フィールドを第３フィールドに、第２のフレームの偶数フィールドを第４のフィールドに、第３のフレームの奇数フィールドを第５フィールドに、第３のフレームの偶数フィールドを第６フィールドに、第４のフレームの奇数フィールドをの第７及び第９のフィールドに、第４のフレームの偶数フィールドを第８乃び第１０のフィールドに、それぞれ変換するように前記読み出し器の読み出し動作を制御する２：２：２：４プルダウン制御器と、
前記２：３：３：２プルダウン制御器による前記読み出し器の制御と、前記２：３：２：３プルダウン制御器による前記読み出し器の制御と、前記２：２：２：４プルダウン制御器による前記読み出し器の制御とを切り換える切換器と、
を有する映像変換装置。
【発明の詳細な説明】
【０００１】
【発明の属する技術分野】
本発明は、２４フレーム／秒の速度で映像を撮影して、６０フレーム／秒のインターレース映像信号に変換して出力する映像撮像装置や２４フレーム／秒の映像信号を、６０フレーム／秒のインターレース映像信号に変換する映像変換装置に関する。
【０００２】
【従来の技術】
従来から、２４ｐ（２４フレーム／秒のプログレッシブ）方式の映像信号を６０ｉ（６０フレーム／秒のインターレース）方式の映像信号に変換して記録する場合、数々の変換方式が実施されている。
【０００３】
図４には、上記変換方式の一例である”２：３：２：３”プルダウン変換方式が示されている。図４において、２４ｐ（２４フレーム／秒）方式の映像で連続する４フレームがＡ，Ｂ，Ｃ，Ｄと表されている。この４フレームが６０ｉ方式の映像信号に変換される際において、６０ｉ方式の映像信号において連続するフィールド番号１〜１０を付されたフィールドに時間軸を合わせながら変換されていく。具体的にいえば、フレームＡが奇数ラインからなるフィールドＡｏと偶数ラインからなるフィールドＡｅに分離される。分離されたフィールドＡｏ，Ａｅそれぞれがフレーム番号１のフィールド番号１，２として記録される。以下同様に、フレームＢが、フレーム番号２のフィールド番号３，４や、フレーム番号３の半部を構成するフィールド番号５として記録される。フレームＣがフレーム番号３の半部を構成するフィールド番号６やフレーム番号４の半部を構成するフィールド番号７として記録される。フレームＤがフレーム番号４の半部を構成するフィールド番号８や、フレーム番号５を構成するフィールド番号９，１０として記録される。
【０００４】
以降、４フレームの周期で、同様に”２：３：２：３”と記録されていく。
【０００５】
【発明が解決しようとする課題】
このように、２４ｐ（２４フレーム／秒のプログレッシブ）方式の映像を６０ｉ（６０フレーム／秒のインターレース）方式に変換して記録する場合、数々の変換方式が実施されている。これら変換方式それぞれには、その方式特有のメリットがあるものの特有のデメリットも存在している。そのため、映像の使用用途に応じてこれら変換方式を使い分ける必要がある。しかしながら、従来の構成では、これらの変換方式を使い分けることができなかった。
【０００６】
したがって、本発明の主たる目的は、種々の映像変換方式を使い分けることができる映像撮像装置や映像変換装置を提供することである。
【０００７】
【課題を解決するための手段】
上述した目的を達成するためには、本発明は、２：３：３：２プルダウン制御器による読み出し器の制御と、２：３：２：３プルダウン制御器による読み出し器の制御とを切り替える切換器とを有している。
【０００８】
また、２：３：３：２プルダウン制御器による読み出し器の制御と、２：３：２：３プルダウン制御器による読み出し器の制御と、２：２：２：４プルダウン制御器による読み出し器の制御を切り換える切換器とを有している。
【０００９】
本発明は、上記切換器を有することで、種々の映像変換方式を使い分けることができる。
【００１０】
【発明の実施の形態】
図１は、本発明の一実施形態の映像撮像装置１の構成を示すブロック図である。この映像撮像装置１は、２４ｐ方式で映像信号（以下、２４ｐ映像信号という）を撮像したうえで、撮影した２４ｐ映像信号を、２：３：２：３プルダウン変換方式，２：３：３：２プルダウン変換方式，および２：２：２：４プルダウン変換方式のうちのいずれかの変換方式に則って６０ｉフォーマットのデジタル映像信号（以下、６０ｉ映像信号という）に変換して記録する装置である。
【００１１】
この映像撮像装置１は、ＣＣＤ２と、Ａ／Ｄ変換器３と、ＲＧＢ変換器４と、シネマガンマ調整器５と、ノイズ除去器６と、エッジ強調器７と、メモリ（一次記録器）８と、プルダウン制御器９と、読み出し器１０と、圧縮処理器１１と、記録器１２と、切換器１３とを備えている。
【００１２】
ＣＣＤ２は、被写体から入射する光を電気信号に変換している。Ａ／Ｄ変換器３は、電気信号をデジタル映像信号に変換している。Ａ／Ｄ変換器３は、ＣＣＤ２から２４フレーム／秒の周期で電気信号を読み出すことで、ＣＣＤ２の電気信号を２４フレーム／秒フォーマットのデジタル映像信号に変換している。ＲＧＢ変換器４は、デジタル映像信号をデジタルＲＧＢ信号に変換している。シネマガンマ調整器５は、デジタルＲＧＢ信号にシネマガンマ調整を実施している。ノイズ除去器６は、シネマガンマ調整されたデジタルＲＧＢ信号にノイズ除去処理を実施している。エッジ強調器７は、ノイズ除去処理されたデジタルＲＧＢ信号のエッジ強調処理を実施している。メモリ８は、エッジ強調処理が実施されたデジタルＲＧＢ信号を一次保存している。メモリ８は、第１フィールドメモリ８ａと第２フィールドメモリ８ｂとを備えている。第１フィールドメモリ８ａは、デジタルＲＧＢ信号を構成する各水平ライン信号のうち奇数ライン位置に配置された奇数水平ライン信号を取り出して一次保存している。第２フィールドメモリ８ｂは、デジタルＲＧＢ信号を構成する各水平ライン信号のうち偶数ライン位置に配置された偶数水平ライン信号を取り出して記録している。
【００１３】
読み出し器１０は、第１，第２フィールドメモリ８ａ，８ｂに一次保存されている各水平ライン信号を、（２：３：２：３プルダウン変換方式），（２：３：３：２プルダウン変換方式），（２：２：２：４プルダウン変換方式）のうちのいずれかの変換方式に基づいて、読み出している。
【００１４】
プルダウン制御器９は、読み出し器１０が第１，第２フィールドメモリ８ａ，８ｂから各水平ライン信号を読み出す際の読み出しタイミングを、（２：３：２：３プルダウン変換方式），（２：３：３：２プルダウン変換方式），（２：２：２：４プルダウン変換方式）のうちのいずれかの変換方式に基づいて制御している。各変換方式の詳細は後述する。これによりメモリ８からは、いずれかの方式で変換された６０ｉ映像信号が出力される。
【００１５】
圧縮処理器１１は、メモリ８（第１，第２フィールドメモリ８ａ，８ｂ）から読み出される６０ｉ映像信号（各水平ライン信号）を圧縮処理している。記録器１２は、圧縮処理器１０で圧縮処理された６０ｉ映像信号を図示しない記録媒体（ビデオテープやハードディスク装置）に記録している。
【００１６】
切換器１３は、２４ｐ映像信号を６０ｉ映像信号に変換する際の変換方式を、２：３：２：３プルダウン変換方式，２：３：３：２プルダウン変換方式，２：２：２：４プルダウン変換方式のうちのいずれかに選択し、その選択指令を制御器９に出力している。切換器１２による変換方式の選択は、例えば、映像撮像装置１の操作パネル（図示省略）に設けられた切換スイッチ（図示省略）を介して実施される。
【００１７】
本実施形態では、ＣＣＤ２，Ａ／Ｄ変換器３，ＲＧＢ変換器４，シネマガンマ調整器５，ノイズ除去器６，およびエッジ強調器７から撮像器が構成され、メモリ８から一時記録器が構成され、プルダウン制御器９から、２：３：２：３プルダウン制御器，２：３：３：２プルダウン制御器，２：２：２：４プルダウン制御器が構成され、切換器１３から切換器が構成されている。
【００１８】
以下、この映像撮像装置１による撮像操作が説明される。
【００１９】
エッジ強調器７によってデジタルＲＧＢ信号にエッジ強調処理が施されるまでは従来と同様の処理であるので、それまでの信号処理については説明を省略する。この映像撮像装置１では、エッジ強調器７から出力されるデジタルＲＧＢ信号に対する信号処理に特徴がある。
【００２０】
この映像撮像装置１では、２４ｐ映像信号を６０ｉ映像信号に変換する際に、２：３：２：３プルダウン変換方式，２：３：３：２プルダウン変換方式，および２：２：２：４プルダウン変換方式のうちのいずれの変換方式であっても実施することができる。そこで、まず、いずれの変換方式を採用するかを示す指令信号が切換器１３に入力される。指令信号の入力は、例えば、映像撮像装置１の操作パネル（図示省略）に設けられた切換スイッチ（図示省略）に対する操作者の入力により実施される。
【００２１】
変換方式の指令入力を受けた切換器１３は、プルダウン制御器９に対して、変換方式の指定信号を出力する。指定信号を受けたプルダウン制御器９は、指定された変換方式に基づいて読み出し器１０の読み出し制御を実施する。
【００２２】
以下の説明では、２４ｐ映像信号において連続する第１フレーム映像信号（Ａ）〜第４フレーム映像信号（Ｄ）が、６０ｉ映像信号において連続する第１フィールド映像信号（１）〜第１０フィールド映像信号（１０）に変換される場合を例にして説明する。なお、２４ｐ映像信号における第１フレーム映像信号（Ａ）〜第４フレーム映像信号（Ｄ）は、奇数フィールド映像信号（Ａ−ｏ〜Ｄ−ｏ）と、偶数フィールド映像信号（Ａ−ｅ〜Ｄ−ｅ）に分解されたうえで、奇数フィールド映像信号（Ａ−ｏ〜Ｄ−ｏ）は、第１フィールドメモリ８ａに一次保存され、偶数フィールド映像信号（Ａ−ｅ〜Ｄ−ｅ）は、第２フィールドメモリ８ｂに一次保存される。そして、第１，第２フィールドメモリ８ａ，８ｂに一次保存された奇数フィールド映像信号（Ａ−ｏ〜Ｄ−ｏ），偶数フィールド映像信号（Ａ−ｅ〜Ｄ−ｅ）は、読み出し器１０によって所定の読み出し順に沿って読み出されて、第１フィールド映像信号（１）〜第１０フィールド映像信号（１０）となる。
【００２３】
まず、２：３：３：２プルダウン変換方式が指定された場合の変換動作が説明される。この場合、プルダウン制御器９により、読み出し器１０に対して次のような読み出し制御が実施される。
【００２４】
図２（ａ）に示すように、第１フレーム映像信号（Ａ）の奇数フィールド映像信号（Ａ−ｏ）が、第１フィールド映像信号（１）として読み出される。第１フレーム映像信号（Ａ）の偶数フィールド映像信号（Ａ−ｅ）が、第２フィールド映像信号（２）として読み出される。
【００２５】
第２フレーム映像信号（Ｂ）の奇数フィールド映像信号（Ｂ−ｏ）が、第３フィールド映像信号（３）として読み出される。第２フレーム映像信号（Ｂ）の偶数フィールド映像信号（Ｂ−ｅ）が、第４フィールド映像信号（４）として読み出される。
【００２６】
第２フレーム映像信号（Ｂ）の奇数フィールド映像信号（Ｂ−ｏ）が、第５フィールド映像信号（５）として読み出される。第３フレーム映像信号（Ｃ）の偶数フィールド映像信号（Ｃ−ｅ）が、第６フィールド映像信号（６）として読み出される。
【００２７】
第３フレーム映像信号（Ｃ）の奇数フィールド映像信号（Ｃ−ｏ）が、第７フィールド映像信号（７）として読み出される。第４フレーム映像信号（Ｄ）の偶数フィールド映像信号（Ｄ−ｅ）が、第８フィールド映像信号（８）として読み出される。
【００２８】
第４フレーム映像信号（Ｄ）の奇数フィールド映像信号（Ｄ−ｏ）が、第９フィールド映像信号（９）として読み出される。第４フレーム映像信号（Ｄ）の偶数フィールド映像信号（Ｄ−ｅ）が、第１０フィールド映像信号（１０）として読み出される。
【００２９】
次に、２：３：３：２プルダウン変換方式が指定された場合の変換動作が説明される。この場合、プルダウン制御器９により、読み出し器１０に対して次のような読み出し制御が実施される。
【００３０】
図２（ｂ）に示すように、第１フレーム映像信号（Ａ）の奇数フィールド映像信号（Ａ−ｏ）が、第１フィールド映像信号（１）として読み出される。第１フレーム映像信号（Ａ）の偶数フィールド映像信号（Ａ−ｅ）が、第２フィールド映像信号（２）として読み出される。
【００３１】
第２フレーム映像信号（Ｂ）の奇数フィールド映像信号（Ｂ−ｏ）が、第３フィールド映像信号（３）として読み出される。第２フレーム映像信号（Ｂ）の偶数フィールド映像信号（Ｂ−ｅ）が、第４フィールド映像信号（４）として読み出される。
【００３２】
第２フレーム映像信号（Ｂ）の奇数フィールド映像信号（Ｂ−ｏ）が、第５フィールド映像信号（５）として読み出される。第３フレーム映像信号（Ｃ）の偶数フィールド映像信号（Ｃ−ｅ）が、第６フィールド映像信号（６）として読み出される。
【００３３】
第３フレーム映像信号（Ｃ）の奇数フィールド映像信号（Ｃ−ｏ）が、第７フィールド映像信号（７）として読み出される。第３フレーム映像信号（Ｃ）の偶数フィールド映像信号（Ｃ−ｅ）が、第８フィールド映像信号（８）として読み出される。
【００３４】
第４フレーム映像信号（Ｄ）の奇数フィールド映像信号（Ｄ−ｏ）が、第９フィールド映像信号（９）として読み出される。第４フレーム映像信号（Ｄ）の偶数フィールド映像信号（Ｄ−ｅ）が、第１０フィールド映像信号（１０）として読み出される。
【００３５】
次に、２：２：２：４プルダウン変換方式が指定された場合の変換動作が説明される。この場合、プルダウン制御器９により、読み出し器１０に対して次のような読み出し制御が実施される。
【００３６】
図２（ｃ）に示すように、第１フレーム映像信号（Ａ）の奇数フィールド映像信号（Ａ−ｏ）が、第１フィールド映像信号（１）として読み出される。第１フレーム映像信号（Ａ）の偶数フィールド映像信号（Ａ−ｅ）が、第２フィールド映像信号（２）として読み出される。
【００３７】
第２フレーム映像信号（Ｂ）の奇数フィールド映像信号（Ｂ−ｏ）が、第３フィールド映像信号（３）として読み出される。第２フレーム映像信号（Ｂ）の偶数フィールド映像信号（Ｂ−ｅ）が、第４フィールド映像信号（４）として読み出される。
【００３８】
第３フレーム映像信号（Ｃ）の奇数フィールド映像信号（Ｃ−ｏ）が、第５フィールド映像信号（５）として読み出される。第３フレーム映像信号（Ｃ）の偶数フィールド映像信号（Ｃ−ｅ）が、第６フィールド映像信号（６）として読み出される。
【００３９】
第４フレーム映像信号（Ｄ）の奇数フィールド映像信号（Ｄ−ｏ）が、第７フィールド映像信号（７）として読み出される。第４フレーム映像信号（Ｄ）の偶数フィールド映像信号（Ｄ−ｅ）が、第８フィールド映像信号（８）として読み出される。
【００４０】
第４フレーム映像信号（Ｄ）の奇数フィールド映像信号（Ｄ−ｏ）が、第９フィールド映像信号（９）として読み出される。第４フレーム映像信号（Ｄ）の偶数フィールド映像信号（Ｄ−ｅ）が、第１０フィールド映像信号（１０）として読み出される。
【００４１】
なお、上記変換処理により生成される第１〜第１０フィールド映像信号（１〜１０）は、６０ｉ映像信号において連続するシーケンス番号（０〜４）のフレームでは次のフィールド映像信号となる。
【００４２】
第１フィールド映像信号（１）は、シーケンス番号（０）のフレームの奇数フィールド映像信号となる。第２フィールド映像信号（２）は、シーケンス番号（０）のフレームの偶数フィールド映像信号となる。
【００４３】
第３フィールド映像信号（３）は、シーケンス番号（１）のフレームの奇数フィールド映像信号となる。第４フィールド映像信号（４）は、シーケンス番号（１）のフレームの偶数フィールド映像信号となる。
【００４４】
第５フィールド映像信号（５）は、シーケンス番号（２）のフレームの奇数フィールド映像信号となる。第６フィールド映像信号（６）は、シーケンス番号（２）のフレームの偶数フィールド映像信号となる。
【００４５】
第７フィールド映像信号（７）は、シーケンス番号（３）のフレームの奇数フィールド映像信号となる。第８フィールド映像信号（８）は、シーケンス番号（３）のフレームの偶数フィールド映像信号となる。
【００４６】
第９フィールド映像信号（９）は、シーケンス番号（４）のフレームの奇数フィールド映像信号となる。第１０フィールド映像信号（１０）は、シーケンス番号（４）のフレームの偶数フィールド映像信号となる。
【００４７】
以上のようにして、２４ｐ映像信号が各変換方式に沿って６０ｉ映像信号に変換されたのち、変換された６０ｉ映像信号は圧縮処理器１１で圧縮処理される。圧縮処理された６０ｉ映像信号は、記録器１２で記録媒体（図示省略）に記録される。ここで、記録器１２には、プルダウン制御器９から変換方式情報が入力されており、記録器１２は、記録中の６０ｉ映像信号の変換方式情報を記録媒体に記録する。変換方式情報は、例えば、６０ｉ映像信号のユーザーズビットエリアに書き込むことができる。
【００４８】
映像撮像装置１では、以上のようにして、２４ｐ映像信号を任意の各変換方式に沿って６０ｉ映像信号に変換して記録するのであるが、各変換方式には、次のような長短所が存在する。
【００４９】
２：３：２：３プルダウン変換方式
［長所］
・この変換方式は、フィールド圧縮を行う映像信号を主対象とした変換方式であって、本変換方式は、２４ｐ映像信号において連続する各フィールド映像を、６０ｉ映像信号の各フィールドに満遍なく分配配置しているので、映画等の動きの激しい映像を含む映像信号の変換に最適である。
［短所］
・フィールド圧縮を行う映像信号を主対象としており、フレーム圧縮された映像信号を変換する場合には処理に時間がかかる。
・フレーム圧縮された映像信号を変換する場合には、圧縮伸張処理による画質の劣化が比較的大きくなる。
・厳密にいえば、変換によって時間的に連続しないフィールド映像が生じるうえに、その時間的に不連続な変換量が他の変換方式に比べて多いために、変換後にスロー再生や静止画再生を行う場合には最も不向きとなる。
【００５０】
２：３：３：２プルダウン変換方式
［長所］
・６０ｉ映像信号を２４ｐＡ像信号に変換する場合、第３フレームを省くことで変換するため、圧縮伸張による画質劣化が生じない。
・２４ｐ映像信号において連続する各フィールド映像信号を、６０ｉ映像信号の各フィールドに満遍なく分配配置しているので、映画等の動きの激しい映像を含む映像信号の変換に最適である。
［短所］
・厳密にいえば、変換によって時間的に連続しないフィールド映像が生じるうえに、その時間的に不連続な変換量が２：３：２：３プルダウン変換方式ほどではないものの多いために、変換後にスロー再生や静止画再生を行う場合には不向きとなる。
【００５１】
２：２：２：４プルダウン変換方式
［長所］
・この変換方式は、フレーム圧縮を行う映像信号を主対象とした変換方式であって、フレーム圧縮された映像信号では、処理時間無しで処理できる。
・フレーム圧縮された映像信号を変換する場合には、圧縮伸張処理による画質の劣化は生じない。
・時間的に不連続なフィールド映像の発生量が最も少ないので、変換後にスロー再生や静止画再生を行う場合には最適である。
［短所］
・５フレーム中、２フレームは同一の映像から構成されるために、動きの激しい映像を有する映像信号の変換には不向きである。
【００５２】
本実施形態の映像撮影装置１では、以上説明した各変換方式の長短所を踏まえて撮影する映像の状態を見極めることで、撮影する映像信号にとって最適な変換方式を選択することがでできる。
【００５３】
なお、上述した実施の形態では、記録器１２を備えた映像撮像装置１において、本発明を実施していたが、記録器１２を備えず、変換後の６０ｉ撮影信号を外部に出力し、外部の記録装置で記録媒体に記録する映像撮像装置においても本発明を実施できるのはいうまでもない。
【００５４】
また、上述した実施の形態では、撮像器を備えた映像撮像装置１において本発明を実施していたが、この他、撮像器を備えない映像変換装置において本発明を実施することができる。この場合、映像変換装置とは、入力される２４ｐ映像信号を、２：３：２：３プルダウン変換方式、２：３：３：２プルダウン変換方式、および２：２：２：４プルダウン変換方式の内から、任意に選択された一つの変換方式に基づいて、６０ｉ映像信号に変換する装置となる。
【００５５】
この映像変換装置は、映像撮像装置１の構成から、ＣＣＤ２，Ａ／Ｄ変換器３，ＲＧＢ変換器４，シネマガンマ調整器５，ノイズ除去器６，およびエッジ強調器７の構成を削除した構成であって、映像の変換処理については、映像撮像装置１と全く同一となる。
【００５６】
さらには、上述した映像撮像装置１では、撮像した２４ｐ映像信号を、２：３：２：３プルダウン変換方式、２：３：３：２プルダウン変換方式、および２：２：２：４プルダウン変換方式の内から、任意に選択された一つの変換方式に基づいて、６０ｉ映像信号に変換していた。本発明はこのような構成に限るものではなく、撮像した２４ｐ映像信号を、２：３：２：３プルダウン変換方式と２：３：３：２プルダウン変換方式との内から、任意に選択された一つの変換方式に基づいて、６０ｉ映像信号に変換するようにしてもよい。
【００５７】
同様に、２：３：２：３プルダウン変換方式と２：２：２：４プルダウン変換方式の内から、任意に選択された一つの変換方式に基づいて、６０ｉ映像信号に変換するようにしてもよい。
【００５８】
同様に、２：３：３：２プルダウン変換方式と２：２：２：４プルダウン変換方式との内から、任意に選択された一つの変換方式に基づいて、６０ｉ映像信号に変換してもよい。
【００５９】
次に、上記映像撮像装置１で作成された６０ｉ映像信号（２４ｐ映像信号が任意の変換方式に沿って６０ｉ映像信号に変換された６０ｉ映像信号）を２４ｐ映像信号に逆変換する映像逆変換装置について図３を参照して説明する。
【００６０】
この映像逆変換装置２０は、入力器２１と、切換スイッチ２２と、伸張器２３と、第１のフレーム抜き出し器２４Ａと、第２のフレーム抜き出し器２４Ｂと、圧縮器２５と、抜き出し制御器２６とを備えている。
【００６１】
なお、この映像逆変換装置２０を映像編集装置として構成する場合には、上記の他、編集器２７と、記録器２８と、伸張器２９と、表示器３０とが設けられる。図３は、映像編集装置として機能する映像変換装置の構成である。
【００６２】
以下、この映像逆変換装置２０の動作を説明する。入力器２１に６０ｉ映像信号が入力されると、入力器２１は、その映像信号にユーザーズビット等に記録された変換方式情報を読み出して、その変換方式情報をフレーム抜き出し制御器２６に出力する。
【００６３】
変換方式情報を受けた抜き出し制御器２６は、その変換方式に応じて切換スイッチ２２を切り換える。具体的には、入力される６０ｉ映像信号が、２：３：２：３プルダウン変換方式によって変換されたものであれば、一旦伸張処理を施す必要がある。これに対して２：３：３：２プルダウン変換方式や２：２：２：４プルダウン変換方式であれば、伸張処理する必要がない。
【００６４】
このような各変換方式の特徴を踏まえて、抜き出し制御器２６に変換方式を示す変換方式情報が入力器２１から入力されると、抜き出し制御器２６は切換スイッチ２２を次のように接続制御する。すなわち、抜き出し制御器２６は、切換スイッチ２２により入力器２１と伸張器２３とを接続する接続制御を実施する。一方、抜き出し制御器２６は、２：３：３：２プルダウン変換方式や２：２：２：４プルダウン変換方式を示す変換方式情報が入力器２１から入力されると、切換スイッチ２２を次のように接続制御する。すなわち、抜き出し制御器２６は、切換スイッチ２２により入力器２１と第２のフレーム抜き出し器２４Ｂとを接続する接続制御を実施する。
【００６５】
以上のようにして、各変換方式毎にその変換方式に応じた信号の伝送が実施される。
【００６６】
次に、２：３：２：３プルダウン変換方式で変換処理された６０ｉ映像信号が入力された場合が説明される。
【００６７】
この場合、６０ｉ映像信号は、切換スイッチ２２を介して伸張器２３に入力されてここで伸張処理される。伸張処理された６０ｉ映像信号は、第１のフレーム抜き出し器２４Ａに入力される。第１のフレーム抜き出し器２４Ａは、予め、抜き出し制御器２６から変換方式情報が入力されており、入力される６０ｉ映像信号に対して、指示された変換方式（２：３：２：３プルダウン変換方式）に応じて逆変換処理を実施する。第１のフレーム抜き出し器２４Ａは、図２（ａ）に示す変換処理の逆変換処理を実施することで、６０ｉ映像信号を２４ｐ映像信号に逆変換する。具体的には次にようにして逆変換処理される。
【００６８】
この場合、図２（ａ）に示すように、第１フィールド映像信号（１）が、第１フレーム映像信号（Ａ）の奇数フィールド映像信号（Ａ−ｏ）として抜き出される。第２フィールド映像信号（２）が、第１フレーム映像信号（Ａ）の偶数フィールド映像信号（Ａ−ｅ）として抜き出される。
【００６９】
第３フィールド映像信号（３）が、第２フレーム映像信号（Ｂ）の奇数フィールド映像信号（Ｂ−ｏ）として抜き出される。第４フィールド映像信号（４）が、第２フレーム映像信号（Ｂ）の偶数フィールド映像信号（Ｂ−ｅ）として抜き出される。
【００７０】
第５フィールド映像信号（５）が第２フレーム映像信号（Ｂ）の奇数フィールド映像信号（Ｂ−ｏ）として抜き出される。第６フィールド映像信号（６）が第３フレーム映像信号（Ｃ）の偶数フィールド映像信号（Ｃ−ｅ）として抜き出される。
【００７１】
第７フィールド映像信号（７）が、第３フレーム映像信号（Ｃ）の奇数フィールド映像信号（Ｃ−ｏ）として抜き出される。第８フィールド映像信号（８）が、第４フレーム映像信号（Ｄ）の偶数フィールド映像信号（Ｄ−ｅ）として抜き出される。
【００７２】
第９フィールド映像信号（９）が、第４フレーム映像信号（Ｄ）の奇数フィールド映像信号（Ｄ−ｏ）として抜き出される。第１０フィールド映像信号（１０）が第４フレーム映像信号（Ｄ）の偶数フィールド映像信号（Ｄ−ｅ）として抜き出される。
【００７３】
以上のようにして第１のフレーム抜き出し器２４Ａにより６０ｉ映像信号から所定の抜き出し順序で映像信号を抜き出すことで２４ｐ映像信号が生成される。生成（逆変換）された２４ｐ映像信号は圧縮器２５に入力されて、ここで圧縮処理される。圧縮処理されることで、２４ｐ映像信号は、正式な映像フォーマットを有する映像信号となる。
【００７４】
次に、２：３：３：２プルダウン変換方式で変換処理された６０ｉ映像信号が入力された場合が説明される。
【００７５】
この場合、６０ｉ映像信号は、切換スイッチ２２を介して第２のフレーム抜き出し器２４Ｂに入力される。第２のフレーム抜き出し器２４Ｂは、予め、抜き出し制御器２６から変換方式情報が入力されており、入力される６０ｉ映像信号に対して、指示された変換方式（２：３：３：２プルダウン変換方式）に応じた逆変換処理を実施する。第２のフレーム抜き出し器２４Ｂは、図２（ｂ）に示す変換処理の逆変換処理を実施することで、６０ｉ映像信号を２４ｐ映像信号に逆変換する。具体的には次にようにして逆変換処理される。
【００７６】
この場合、図２（ｂ）に示すように、第１フィールド映像信号（１）が、第１フレーム映像信号（Ａ）の奇数フィールド映像信号（Ａ−ｏ）として抜き出される。第２フィールド映像信号（２）が第１フレーム映像信号（Ａ）の偶数フィールド映像信号（Ａ−ｅ）として抜き出される。
【００７７】
第３フィールド映像信号（３）が、第２フレーム映像信号（Ｂ）の奇数フィールド映像信号（Ｂ−ｏ）として読み出される。第４フィールド映像信号（４）が、第２フレーム映像信号（Ｂ）の偶数フィールド映像信号（Ｂ−ｅ）として抜き出される。
【００７８】
第５フィールド映像信号（５）が、第２フレーム映像信号（Ｂ）の奇数フィールド映像信号（Ｂ−ｏ）として抜き出される。第６フィールド映像信号（６）が、第３フレーム映像信号（Ｃ）の偶数フィールド映像信号（Ｃ−ｅ）として抜き出される。
【００７９】
第７フィールド映像信号（７）が、第３フレーム映像信号（Ｃ）の奇数フィールド映像信号（Ｃ−ｏ）として抜き出される。第８フィールド映像信号（８）が、第３フレーム映像信号（Ｃ）の偶数フィールド映像信号（Ｃ−ｅ）として抜き出される。
【００８０】
第９フィールド映像信号（９）が、第４フレーム映像信号（Ｄ）の奇数フィールド映像信号（Ｄ−ｏ）として抜き出される。第１０フィールド映像信号（１０）が、第４フレーム映像信号（Ｄ）の偶数フィールド映像信号（Ｄ−ｅ）として抜き出される。
【００８１】
以上のようにして第２のフレーム抜き出し器２４Ｂにより６０ｉ映像信号から所定の抜き出し順序で映像信号を抜き出すことで２４ｐ映像信号が生成される。生成（逆変換）された２４ｐ映像信号は正式な映像フォーマットを有する映像信号となる。
【００８２】
次に、２：２：２：４プルダウン変換方式を示す変換方式情報で変換処理された６０ｉ映像信号が入力された場合が説明される。
【００８３】
この場合、６０ｉ映像信号は、切換スイッチ２２を介して第２のフレーム抜き出し器２４Ｂに入力される。第２のフレーム抜き出し器２４Ｂは、予め、抜き出し制御器２６から変換方式情報が入力されており、入力される６０ｉ映像信号に対して、指示された変換方式（２：２：２：４プルダウン変換方式）に応じて逆変換処理を実施する。具体的には、第１のフレーム抜き出し器２４Ａは、図２（ｃ）に示す変換処理の逆変換処理を実施することで、６０ｉ映像信号を２４ｐ映像信号に逆変換する。
【００８４】
この場合、図２（ｃ）に示すように、第１フィールド映像信号（１）が、第１フレーム映像信号（Ａ）の奇数フィールド映像信号（Ａ−ｏ）として抜き出される。第２フィールド映像信号（２）が、第１フレーム映像信号（Ａ）の偶数フィールド映像信号（Ａ−ｅ）として抜き出される。
【００８５】
第３フィールド映像信号（３）が、第２フレーム映像信号（Ｂ）の奇数フィールド映像信号（Ｂ−ｏ）として抜き出される。第４フィールド映像信号（４）が、第２フレーム映像信号（Ｂ）の偶数フィールド映像信号（Ｂ−ｅ）として抜き出される。
【００８６】
第５フィールド映像信号（５）が、第３フレーム映像信号（Ｃ）の奇数フィールド映像信号（Ｃ−ｏ）として抜き出される。第６フィールド映像信号（６）が、第３フレーム映像信号（Ｃ）の偶数フィールド映像信号（Ｃ−ｅ）として抜き出される。
【００８７】
第７フィールド映像信号（７）が、第４フレーム映像信号（Ｄ）の奇数フィールド映像信号（Ｄ−ｏ）として抜き出される。第８フィールド映像信号（８）が、第４フレーム映像信号（Ｄ）の偶数フィールド映像信号（Ｄ−ｅ）として抜き出される。
【００８８】
第９フィールド映像信号（９）が、第４フレーム映像信号（Ｄ）の奇数フィールド映像信号（Ｄ−ｏ）として抜き出される。第１０フィールド映像信号（１０）が、第４フレーム映像信号（Ｄ）の偶数フィールド映像信号（Ｄ−ｅ）として抜き出される。
【００８９】
以上のようにして第２のフレーム抜き出し器２４Ｂにより６０ｉ映像信号から所定の抜き出し順序で映像信号を抜き出すことで２４ｐ映像信号が生成される。生成（逆変換）された２４ｐ映像信号はそのまま正式な映像フォーマットを有する映像信号となる。
【００９０】
このように、２：３：２：３プルダウン変換方式で変換処理された６０ｉ映像信号は、２４ｐ映像信号に逆変換される際、伸張／圧縮処理が実施される。そのため、これらの処理が実施される分、変換後の２４ｐ映像信号の画質は若干ながら劣化する。これに対して、２：３：３：２プルダウン変換方式や２：２：２：４プルダウン変換方式で変換処理された６０ｉ映像信号は、２４ｐ映像信号に逆変換される際、伸張／圧縮処理が実施されない。そのため、変換後の２４ｐ映像信号の画質は劣化しない。
【００９１】
以上のようにして６０ｉ映像信号は２４ｐ映像信号に逆変換される。変換後の２４ｐ映像信号は、そのまま外部に出力されてもよいし、記録器２８において記録媒体（図示省略）に記録されてもよい。また、変換後の２４ｐ映像信号は編集器２７で編集処理されてもよい。編集後の２４ｐ映像信号は、そのまま外部に出力されてもよいし、記録器２８において記録媒体（図示省略）に記録されてもよい。なお、伸張器２９，表示器３０は、編集器２７による編集作業中における画像状態を編集者が把握するために設けられている。
【００９２】
上述した映像逆変換装置２０では、入力される映像信号に記録されている変換方式情報を読み出すことで、その映像信号の変換方式を把握していた。しかしながら、入力される映像信号の変換方式は、この他、映像信号に付加されている有効フラグ情報（変換後の６０ｉ映像信号において有効となるフィールド映像信号領域を示す情報）の繰り返しパターンに基づいて変換方式を把握することもできる。映像フィールド信号の繰り返しパターンの認識に基づいて変換方式を把握することもできる。
【００９３】
【発明の効果】
以上説明したように、本発明によれば、撮影目的や編集処理方法に応じて最適な映像変換方式を選択することで可能となる。
【図面の簡単な説明】
【図１】本発明の一実施形態の映像撮像装置の構成を示すブロック図である。
【図２】各変換方式の具体的な変換処理を示す図である。
【図３】本発明の一実施形態の映像撮像装置と対となって用いられる映像逆変換装置の構成を示す図である。
【図４】映像変換方式の例を示す図である。
【符号の説明】
１映像撮像装置　　　２ＣＣＤ
３Ａ／Ｄ変換器　　　４ＲＧＢ変換器
５シネマガンマ調整器　　６ノイズ除去器
７エッジ強調器　　　８メモリ
８ａ第１フィールドメモリ　　８ｂ第２フィールドメモリ
９プルダウン制御器　　　１０読み出し器
１１圧縮処理器　　　１２記録器
１２切換器
２０映像変換装置　　　２１入力器
２２切換スイッチ　　　２３伸張器
２４Ａ第１のフレーム抜き出し器　２４Ｂ第２のフレーム抜き出し器
２５圧縮器　　　　２６抜き出し制御器
２７編集器　　　　２８記録器
２９伸張器　　　　３０表示器
【図１】
2004064622.tif 000003
【図２】
2004064622.tif 000004
【図３】
2004064622.tif 000005
【図４】
2004064622.tif 000006